(57)【要約】【課題】包装袋がしっかりと固定されて外れにくく、注ぐ量の調節がしやすく、片手でも注ぐことのできるホルダーおよびホルダー付き包装袋を提供する。【解決手段】包装袋２のホルダー１であって、包装袋が、一方のサイドシール部２２に流体が充填された独立充填室を有し、天シール部と他方のサイドシール部２１との隅部の注出口に口栓２７が設けられた包装袋であるホルダーにおいて、独立充填室の周囲を前独立充填室保持部３０３と後独立充填室保持部により表裏から挟み込んで保持する独立充填室保持部と、手で持つための取っ手部３０２とを有する。また、天シール部を前側天部保持部１０１と後側天部保持部により表裏から挟み込んで保持する天部保持部と、口栓を前側口栓保持部１０３と後側口栓保持部に表裏から挟み込んで保持する口栓保持部とを有する。【選択図】図１
2015202872.tif 000002
【特許請求の範囲】
【請求項１】
包装袋のホルダーであって、
前記包装袋が、両側部にサイドシール部を有し、該両サイドシール部の間に内容物を収納する収納室を有するとともに、一方のサイドシール部に流体が充填された独立充填室を有する包装袋である前記ホルダーにおいて、
前記独立充填室の周囲を表裏から挟み込んで保持する独立充填室保持部と、手で持つための取っ手部とを有することを特徴とするホルダー。
【請求項２】
前記包装袋が天シール部を有し、該天シール部を表裏から挟み込んで保持する天部保持部を有することを特徴とする請求項１に記載のホルダー。
【請求項３】
前記包装袋が、前記天シール部と他方の前記サイドシール部との隅部に注出口を有することを特徴とする請求項２に記載のホルダー。
【請求項４】
前記注出口に口栓が設けられ、該口栓を保持する口栓保持部を有することを特徴とする請求項３に記載のホルダー。
【請求項５】
前記ホルダーが、前記独立充填室保持部と前記取っ手部を有する取っ手付サイド保持部材と、前記天部保持部を有する天部保持部材からなり、前記取っ手付サイド保持部材と前記天部保持部材とが組み合わされてなることを特徴とする請求項２から４のいずれか１項に記載のホルダー。
【請求項６】
前記包装袋が、二つ折りされた底テープが折り部を上にして下端部分に差し込まれ、船底型にシールされた底シール部を有し、前記ホルダーの下端に前記底シール部を下から保持する底部保持部を有することを特徴とする請求項１から５のいずれか１項に記載のホルダー。
【請求項７】
請求項１から６のいずれか１項記載のホルダーを取り付けたことを特徴とするホルダー付き包装袋。
【発明の詳細な説明】
【技術分野】
【０００１】
本発明は、包装袋のホルダーに関するものである。特に、その包装袋が両側部にサイドシール部を有し、これら両サイドシール部の間に液体を収納する収納室を有するとともに、一方のサイドシール部に流体が充填された独立充填室を有する包装袋のホルダーに関するものである。
【背景技術】
【０００２】
従来から、包装袋は、他の容器に比較して安価で、使用後、減容化されるため廃棄があり、菓子や食品類、あるいは、詰替え洗剤などのトイレタリー製品などを収容する用途に広く用いられている。
【０００３】
柔軟なプラスチックフィルムからなる包装袋は腰がなく、内容物が液体である場合、内容物の重さによって曲がってしまったりして、注ぎ出すときに持ちにくく、こぼしてしまうこともあった。
【０００４】
この注ぎ出しにくさを解決するため、シール部の１つに内容物収納部とは別の独立した未シール部を設け、この未シール部に、板紙や、紙管、ストロー等の棒状物を封入したり、あるいは、空気をできるだけ圧力をかけて充填したりして把持部とし、注ぎだすときに持ちやすくした包装袋がある（特許文献１）。
【０００５】
前述の包装袋の場合、把持部を設けて注ぎやすさは向上しているものの、詰め替え用途などのように、一度に注ぎ出すのには向いているが、例えば少量ずつ注ぎ出したいときなどうまく注ぎ出すことができず、不便であった。
【０００６】
一方、パウチを持ちやすくするため、保持具に装着して用いることもできる。そのような保持具として、支持体と、その支持体の上部に設けられ、パウチ入り液状物を囲み且つパウチ入り液状物の側部を挟持し得る第１クリップ部と、支持体の下部に設けられ、パウチ入り液状物を囲み且つパウチ入り液状物の側部を挟持し得る第２クリップ部とを有するパウチ入り液状物用保持具がある（特許文献２）。
【０００７】
このパウチ入り液状物用保持具では、少量ずつ注ぎ出す場合でも、注ぎやすさはあると思われるが、パウチの固定が不十分でパウチがクリップ部から外れてしまい、うまく注ぎだすことができない恐れがある。
【０００８】
公知文献を以下に示す。
【先行技術文献】
【特許文献】
【０００９】
【特許文献１】特開平６−１２２４５９号公報
【特許文献２】実開平６−３００５０号公報
【発明の概要】
【発明が解決しようとする課題】
【００１０】
本発明は上記のような事情に鑑みてなされたもので、包装袋がしっかりと固定されて外れにくく、注ぐ量の調節がしやすく、片手でも注ぐことのできるホルダーおよびホルダー付き包装袋を提供することを課題としている。
【課題を解決するための手段】
【００１１】
本発明は係る課題に鑑みなされたものであり、請求項１の発明は、包装袋のホルダーであって、
前記包装袋が、両側部にサイドシール部を有し、該両サイドシール部の間に液体を収納する収納室を有するとともに、一方のサイドシール部に流体が充填された独立充填室を有する包装袋である前記ホルダーにおいて、
前記独立充填室の周囲を表裏から挟み込んで保持する独立充填室保持部と、手で持つための取っ手部とを有することを特徴とするホルダーである。
【００１２】
本発明の請求項２の発明は、前記包装袋が天シール部を有し、該天シール部を表裏から挟み込んで保持する天部保持部を有することを特徴とする請求項１に記載のホルダーである。
【００１３】
本発明の請求項３の発明は、前記包装袋が、前記天シール部と他方の前記サイドシール部との隅部に注出口を有することを特徴とする請求項２に記載のホルダーである。
【００１４】
本発明の請求項４の発明は、前記注出口に口栓が設けられ、該口栓を保持する口栓保持部を有することを特徴とする請求項３に記載のホルダーである。
【００１５】
本発明の請求項５の発明は、前記ホルダーが、前記独立充填室保持部と前記取っ手部を有する取っ手付サイド保持部材と、前記天部保持部を有する天部保持部材からなり、前記取っ手付サイド保持部材と前記天部保持部材とが組み合わされてなることを特徴とする請求項２から４のいずれか１項に記載のホルダーである。
【００１６】
本発明の請求項６の発明は、前記包装袋が、二つ折りされた底テープが折り部を上にして下端部分に差し込まれ、船底型にシールされた底シール部を有し、前記ホルダーの下端に前記底シール部を下から保持する底部保持部を有することを特徴とする請求項１から５のいずれか１項に記載のホルダーである。
【００１７】
本発明の請求項７の発明は、請求項１から６のいずれか１項記載のホルダーを取り付けたことを特徴とするホルダー付き包装袋である。
【発明の効果】
【００１８】
本発明のホルダーは、包装袋の一方のサイドシール部に設けられた独立充填室の周囲を、表裏より挟み込んで保持する独立充填室保持部と、手で持つための取っ手部とを有しているので、包装袋がしっかりと固定されて外れにくく、注ぐ量の調節がしやすく、片手でも注ぐことができる。
【００１９】
また、第２の発明は、さらに、包装袋の天シール部を表裏より挟み込んで保持する天部保持部が設けられているので、サイドシール部と天シール部が保持され、安定して包装袋を固定することができる。
【００２０】
第３の発明は、包装袋が、天シール部と他方のサイドシール部との隅部に注出口を有しているので、一方のサイドシール部に設けられた独立充填室の周囲を保持したホルダーを傾けて収納された液体を注ぎ出しやすい。
【００２１】
第４の発明は、包装袋の注出口に口栓が設けられ、口栓を保持する口栓保持部が設けられているので、注ぐときに、口栓が動かず安定して注ぎだすことができる。
【００２２】
第５の発明は、ホルダーが、取っ手付サイド保持部材と天部保持部材からなっていて、
取っ手付サイド保持部材と前記天部保持部材とが組み合わされているので、包装袋に装着しやすく、着脱が容易にできる。
【００２３】
第６の発明は、包装袋が、二つ折りされた底テープが、折り部を上にして下端部分に差し込まれ、船底型にシールされた底シール部を有し、ホルダーの下端に底シール部を保持する底部保持部を有しているので、包装袋の底部分を下からも保持でき、さらに安定して保持することができる。
【図面の簡単な説明】
【００２４】
【図１】本発明のホルダーの一例で包装袋を保持した状態を模式的に示した説明図である。
【図２】本発明のホルダーの一例で保持する包装袋を模式的に正面で示した説明図である。
【図３】本発明のホルダーの一例を模式的に正面で示した説明図である。
【図４】本発明のホルダーの一例の天部保持部材を模式的に示した説明図である。（Ａ）平面図、（Ｂ）正面図である。
【図５】本発明のホルダーの一例の天部保持部材の天部保持前部材を模式的に示した説明図である。（Ａ）平面図、（Ｂ）正面図である。
【図６】本発明のホルダーの一例の天部保持部材の天部保持後部材を模式的に示した説明図である。（Ａ）平面図、（Ｂ）正面図である。
【図７】本発明のホルダーの一例の取っ手付サイド保持部材を模式的に正面で示した説明図である。
【図８】図７のＸ−Ｘ断面図である。
【図９】本発明のホルダーの一例の取っ手付保持部材を開いて分解した状態を模式的に示した説明図である。（Ａ）取っ手付保持前部材、（Ｂ）取っ手付保持後部材である。
【図１０】本発明のホルダーの一例で、包装袋を保持する方法を説明する正面図である。
【発明を実施するための形態】
【００２５】
以下、本発明を実施するための形態につき説明する。
図１は、本発明のホルダーの一例で包装袋を保持した状態を模式的に示した説明図、図２は、本発明のホルダーの一例で保持する包装袋を模式的に正面で示した説明図、図３は、本発明のホルダーの一例を模式的に正面で示した説明図、図４は、本発明のホルダーの一例の天部保持部材を模式的に示した説明図で、（Ａ）は、平面図、（Ｂ）は、正面図、図５は、本発明のホルダーの一例の天部保持部材の天部保持前部材を模式的に示した説明図で、（Ａ）は、平面図、（Ｂ）は、正面図、図６は、本発明のホルダーの一例の天部保持部材の天部保持後部材を模式的に示した説明図で、（Ａ）は、平面図、（Ｂ）は、正面図、図７は、本発明のホルダーの一例の取っ手付保持部材を模式的に正面で示した説明図、図８は、図７のＸ−Ｘ断面図、図９は、本発明のホルダーの一例の取っ手付保持部材を開いて分解した状態を模式的に示した説明図で、（Ａ）は、取っ手付保持前部材、（Ｂ）は、取っ手付保持後部材である。
【００２６】
本例のホルダー１は、図１に示すように、包装袋２に取り付けて、片手でも注ぐことができ、注ぐ量も調整しやすくするものである。
【００２７】
包装袋２は、表フィルムと裏フィルムが重ね合わされ、図２に示すように、その両側部にサイドシール部２１、２２が設けられ、両サイドシール部の間に液体を収納する収納室２３が設けられ、一方のサイドシール部２２には、表フィルムと裏フィルムの間が未シールになっていて、流体が充填された独立充填室２４が設けられている。
【００２８】
そして、天シール部２５と他方のサイドシール部２１との隅部は、斜めにシールされた
斜めシール部２６が設けられ、斜めシール部に注出口となる口栓２７が取り付けられている。また、底部には、二つ折りされた底テープ２８が折り部を上にして下端部分に差し込まれ、船底型にシールされた底シール部２９が設けられている。
【００２９】
独立充填室２４には、気体や液体の流体が封入されている。気体としては、内容物と反応しにくい、あるいは、影響を与えにくい気体であればよい。例えば、空気や、窒素ガスを用いればよい。必要に応じて、アルゴンのような希ガスを用いてもよい。また、場合によっては、炭酸ガスや、炭酸ガスと他のガスとの混合気体を用いてもよい。液体としては、水や油などを用いることができる。これらを組み合わせて用いても良い。
【００３０】
表フィルムや裏フィルム、および、底テープ２８には、基材フィルムとシーラント層が貼り合わされた積層フィルムが包装材料として用いられている。
【００３１】
基材フィルムとしては、二軸延伸ポリエチレンテフタレートフィルム、二軸延伸ナイロンフィルム、無延伸ナイロンフィルム、二軸延伸ポリプロピレンフィルムなどが用いられる。
【００３２】
更には、基材フィルムに、バリア層としてアルミニウム箔を設けてもよい。また、アルミニウムなどの金属や、アルミナ、シリカなどの無機酸化物の蒸着層を設けてもよい。
【００３３】
これらを、互いに積層して多層の基材フィルムとしてもよい。多層の基材フィルムとする場合、積層方法は特に限定されない。ドライラミネーションや、サンドイッチラミネーションなどにより積層すれば良い。
【００３４】
シーラント層としては、熱可塑性樹脂で熱溶着が可能な低密度ポリエチレン、直鎖状低密度ポリエチレン、あるいは、無延伸ポリプロピレンなどを用いることができる。
【００３５】
シーラント層は、あらかじめ製膜されたフィルムをドライラミネーションにより席そうしても良いし、押出しラミネーションによって製膜しながら積層しても良いし、サンドイッチラミネーションにより、あらかじめ製膜されたフィルムを重ねて、シーラント層として、基材フィルムに積層しても良い。
【００３６】
次に、包装袋２の製造方法について説明する。
【００３７】
まず、製袋機において、表フィルムと裏フィルムと底テープ２８をそれぞれ長尺で送り出す。底テープ２８は上下両端部を重ねあわせて２つに折る。そして、折った状態でサイドシール部２１、２２と重なる位置に抜き孔を設ける。底シール部２９のサイドシール部２１、２２で、この抜き孔を通して、表フィルムと裏フィルムがシールされ、底部分が開いてしまうことを防いでいる。
【００３８】
この折った底テープ２８を折部が包装袋２の上側になるように、表フィルムと裏フィルムの間に挟みこむ。そして、サイドシール部２１、２２、底シール部２９をシールし、続いて口栓２７を表フィルムと裏フィルムの間に挟みこみ、斜めシール部２６を順次シールする。このとき、サイドシール部２２に未シールの独立充填室２４を設ける。
【００３９】
次に、断裁、あるいは、抜き加工にて、１袋ずつ分離して、天シール部２５がシールされていない状態で製袋された包装袋２が製造される。独立充填室２４に流体を充填するのは、１袋ずつ分離する前でも良いし、分離した後でも良い。そして、天シール部２５は内容物充填後、シールされる。
【００４０】
以下、ホルダー１について詳細に説明する。
【００４１】
ホルダー１は、図３に示すような形状であって、図４（Ａ）平面図、（Ｂ）正面図に示す、天部保持部材１０と、図７に示す取っ手付サイド保持部材２０とからなっていて、天部保持部材１０は、さらに、図５（Ａ）平面図、（Ｂ）正面図に示す前天部保持部材１００と、図６（Ａ）平面図、（Ｂ）正面図に示す後天部保持部材２００とからなっている。
【００４２】
前天部保持部材１００は、図５（Ａ）のように、上から見るとほぼ平板状になっている。また、図５（Ｂ）のように包装袋２の天シール部２５を押えるための水平方向に伸びる前側天部保持部１０１が設けられている。
【００４３】
そして、左側は、下方向に傾斜して、包装袋２の斜めシール部２６を押える前側斜め保持部１０２が設けられていて、その中間部分は外側に膨らんで、包装袋２の口栓２７の台座部分を保持する前側口栓保持部１０３が設けられている。
【００４４】
下方向に傾斜した前側斜め保持部１０２の先端部分には、断面がカギ状のフック部１０４が設けられている。尚、フック部１０４を成形する金型の構造からフック部１０４の内側の前側斜め保持部１０２には、貫通孔１０４ａが設けられている。
【００４５】
また、前側天部保持部１０１の中央には上方へ伸びる前盛上り部１０５が設けられ、前盛上り部１０５の中央には、後天部保持部材２００と係止するための係止孔１０６が設けられている。
【００４６】
前側天部保持部１０１の右端寄りには、外側に膨らんで、且つ、下方に突出した前側差込部１０７が設けられ、前側差込部１０７の左には、外側に、断面が略Ｌ字型の前係止部１０８が設けられている。尚、前係止部１０８を成形する金型の構造から前係止部１０８の内側の前側天部保持部１０１には、貫通孔１０８ａが設けられている。
【００４７】
後天部保持部材２００も、図６（Ａ）のように、上から見るとほぼ平板状になっている。また、図６（Ｂ）のように包装袋２の天シール部２５を押えるための水平方向に伸びる後側天部保持部２０１が設けられている。
【００４８】
そして、左側は、下方向に傾斜して、包装袋２の斜めシール部２６を押える後側斜め保持部２０２が設けられていて、その中間部分は外側に膨らんで、包装袋２の口栓２７の台座部分を保持する後側口栓保持部２０３が設けられている。
【００４９】
下方向に傾斜した後側斜め保持部１０２の先端部分には、前天部保持部材１００のフック部１０４の先端を差し込むための、開孔部からなる差込孔２０４が設けられていて、フック部１０４を差込孔２０４に差し込むことによって、蝶番の機能を持たせることができる。
【００５０】
また、後側天部保持部２０１の中央には上方へ伸びる後盛上り部２０５が設けられ、後盛上り部２０５の中央には内側に飛び出した係止突起２０６が設けられていて、係止突起２０６を、前天部保持部材１００の係止孔１０６に嵌め込んで係止できるようになっている。
【００５１】
後側天部保持部２０１の右端寄りには、外側に膨らんで、且つ、下方に突出した後側差込部２０７が設けられ、前側差込部１０７と重ね合わされて差込片を形成するようになっている。
【００５２】
後側差込部２０７の左には、外側に、断面が略Ｌ字型の後係止部２０８が設けられている。尚、後係止部２０８を成形する金型の構造から後係止部２０８の内側の後側天部保持部２０１には、貫通孔２０８ａが設けられている。
【００５３】
図７に示す取っ手付サイド保持部材２０は、前側サイド保持部材３００と後側サイド保持部材４００とからなっていて、前側サイド保持部材３００の下端部分は、図８に示す断面図のように、２つに別れ、曲線を描いて広がって底部保持部３０１を形成している。
【００５４】
図７に示す取っ手付サイド保持部材２０を前側サイド保持部材３００と後側サイド保持部材４００とに開くと、図９（Ａ）、（Ｂ）のように分かれる。図９は、開いた内側を見た図である。
【００５５】
前側サイド保持部材３００には、図９（Ａ）に示すように、取っ手部３０２が設けられている。また柱部分には、外側に膨らんで、内側に縦長の溝が設けられ、独立充填室を囲んで抑えるための前独立充填室保持部３０３が設けられている。
【００５６】
前独立充填室保持部３０３より外側、取っ手部３０２側には、貫通孔からなる係止用孔３０４が５箇所、縦に並んで設けられている。
【００５７】
前独立充填室保持部３０２の上方には後側の壁も設けられ、前後両方に盛り上がって、内部が縦方向の円柱状の空間となっている差込み孔３０５が設けられ、天部保持部材１０の前側差込部１０７と後側差込部２０７が重ね合わされて形成された差込片を、上から差し込み係止するようになっている。
【００５８】
後側サイド保持部材４００は、図９（Ｂ）に示すように、縦長になっていて、前側サイド保持部材３００の前独立充填室保持部３０３と組み合わされて、独立充填室保持部を形成するように、外側に膨らんで内側に縦長の溝が設けられた後独立充填室保持部４０１が設けられている。
【００５９】
そして、後独立充填室保持部４０１より外側には、前側サイド保持部材３００の係止用孔３０４に嵌めこんで係止するための係止用突起４０２が設けられている。
【００６０】
このようになっているので、包装袋２のサイドシール部２２を前側サイド保持部材３００と後側サイド保持部材４００で挟んで、係止用孔３０４と係止用突起４０２で係止すると、包装袋２の膨らんだ独立充填室２４が、前独立充填室保持部３０３と後独立充填室保持部４０１の溝で抑えられ、簡単には動くことが無くなり、ホルダー１に包装袋２がしっかりと固定される。
【００６１】
ホルダー１を形成する、前天部保持部材１００、後天部保持部材２００、前側サイド保持部材３００、後側サイド保持部材４００は、インジェクション成形により、製造することができる。また、これに用いる樹脂としては、ポリエチレンやポリプロピレンなどの熱可塑性樹脂が好ましく用いられる。
【００６２】
以下、包装袋２にホルダー１を取り付ける方法について説明する。
図１０は、本発明のホルダーの一例で、包装袋を保持する方法を説明する正面図である。
【００６３】
前天部保持部材１００のフック部１０４を、後天部保持部材２００の差込孔２０４に差し込み、ここを蝶番として、前天部保持部材１００と後天部保持部材２００を重ね合わせるようにして、包装袋２の斜めシール部２６を前側斜め保持部１０２と後側斜め保持部２０２で挟み斜め保持部を形成し、口栓２７の台座部を、前側口栓保持部１０３と後側口栓保持部２０３で挟み口栓保持部を形成し、天シール部２５を前側天部保持部１０１と後側天部保持部２０１で挟み天部保持部を形成し、係止孔１０６に係止突起２０６を嵌めこんで係止し天部保持部材１０を形成させ、包装袋２を取り付ける。
【００６４】
前側サイド保持部材３００を天部保持部材１０の下から、差込孔３０５に、前側差込部１０７と後側差込部２０７が重ね合わされて形成された差込片が挿入されるように取り付ける。
【００６５】
このとき同時に、前係止部１０８と後係止部２０８とで、前側サイド保持部材３００の差込孔３０５の左側を挟んで固定するようにする。また、底部保持部３０１を包装袋２の開いた底シール部２９の内側になるように差し込む。
【００６６】
これにより、前側差込部１０７と後側差込部２０７が差込孔３０５で離れないようにおさえられ、前係止部１０８と後係止部２０８で挟んで固定するので、天部保持部材１０と取っ手付サイド保持部材２０がしっかり固定される。
【００６７】
そして、後側サイド保持部材４００を、包装袋２の独立充填室２４を後独立充填室保持部４０１が、押えるようにしながら、係止用突起４０２を係止用孔３０４に押し込み係止する。
【００６８】
以上のようにして、包装袋２にホルダー１を取り付ける。これにより、後独立充填室保持部４０１と前独立充填室保持部３０３で表裏より独立充填室２４を挟み込んで保持する独立充填室保持部が形成される。
【００６９】
また、天シール部２５も表裏より天部保持部となる前側天部保持部１０１と後側天部保持部２０１で挟まれて保持される。そして、口栓２７もその台座部分を、口栓保持部となる前側口栓保持部１０３と後側口栓保持部２０３で挟まれて保持される。
【００７０】
また、口栓２７のある斜めシール部２６も前側斜め保持部１０２と後側斜め保持部２０２で挟まれて保持される。さらに、包装袋２の底部は、その底シール部２９が前側サイド保持部材３００の底部保持部３０１により、動いてはずれないように保持される。これらによって、包装袋２はホルダー１にしっかりと固定されて外れることが無い。
【００７１】
そして、ホルダーには、取っ手部３０２が設けられていて、片手で持つことができ、取っ手部３０２を傾けることによって、包装袋２に収納されている内容物を少量ずつでも小出しすることができる。
【符号の説明】
【００７２】
１・・・ホルダー
２・・・包装袋
２１、２２・・・サイドシール部
２３・・・収納室
２４・・・独立充填室
２５・・・天シール部
２６・・・斜めシール部
２７・・・口栓
２８・・・底テープ
２９・・・底シール部
１０・・・天部保持部材
２０・・・取っ手付サイド保持部材
１００・・・前天部保持部材
１０１・・・前側天部保持部
１０２・・・前側斜め保持部
１０３・・・前側口栓保持部
１０４・・・フック部
１０４ａ・・・貫通孔
１０５・・・前盛上り部
１０６・・・係止孔
１０７・・・前側差込部
１０８・・・前係止部
１０８ａ・・・貫通孔
２００・・・後天部保持部材
２０１・・・後側天部保持部
２０２・・・後側斜め保持部
２０３・・・後側口栓保持部
２０４・・・差込孔
２０５・・・後盛上り部
２０６・・・係止突起
２０７・・・後側差込部
２０８・・・後係止部
２０８ａ・・・貫通孔
３００・・・前側サイド保持部材
３０１・・・底部保持部
３０２・・・取っ手部
３０３・・・前独立充填室保持部
３０４・・・係止用孔
３０５・・・差込み孔
４００・・・後側サイド保持部材
４０１・・・後独立充填室保持部
４０２・・・係止用突起
【図１】
2015202872.tif 000003
【図２】
2015202872.tif 000004
【図３】
2015202872.tif 000005
【図４】
2015202872.tif 000006
【図５】
2015202872.tif 000007
【図６】
2015202872.tif 000008
【図７】
2015202872.tif 000009
【図８】
2015202872.tif 000010
【図９】
2015202872.tif 000011
【図１０】
2015202872.tif 000012